(57)【要約】【課題】  ガス調理機器に対して販売促進効果をもたらすＰＯＰ広告装置を提供すること。【解決手段】  本発明に係るＰＯＰ広告装置は、点火プラグにより着火を行うガス調理機器用のＰＯＰ広告装置であって、前記点火プラグの近傍に配置可能なアンテナと、前記ガス調理機器を広告するための所定の広告動作を行う広告動作部と、前記アンテナ及び前記広告動作部と接続される制御部と、を有し、前記制御部は、前記アンテナを介して前記点火プラグにおける点火動作を検出した場合、前記広告動作部を動作させるものである。【選択図】  図４
2018205417.tif 000002
【特許請求の範囲】
【請求項１】
点火プラグにより着火を行うガス調理機器用のＰＯＰ広告装置であって、
前記点火プラグの近傍に配置可能なアンテナと、
前記ガス調理機器を広告するための所定の広告動作を行う広告動作部と、
前記アンテナ及び前記広告動作部と接続される制御部と、を有し、
前記制御部は、前記アンテナを介して前記点火プラグにおける点火動作を検出した場合、前記広告動作部を動作させる、ＰＯＰ広告装置。
【請求項２】
前記ＰＯＰ広告装置は、さらに、
前記ガス調理機器のバーナー部の炎を模擬して略環状に配置された炎模擬部と、
前記炎模擬部を照明する光源部と、
前記炎模擬部と前記光源部とを担持する担持体と、を備え、
前記制御部は、前記アンテナを介して前記点火プラグにおける点火動作を検出した場合、前記光源部を駆動させて前記炎模擬部を照明し、前記ガス調理機器における点火状態を模擬する演出を行う、請求項１に記載のＰＯＰ広告装置。
【請求項３】
前記光源は複数のＬＥＤから成り、
前記制御部は、各ＬＥＤの輝度を制御して非同時的に明滅させ、それにより、炎の揺らぎを再現する、請求項２に記載のＰＯＰ広告装置。
【請求項４】
前記光源は、青色の光を放つ、請求項２に記載のＰＯＰ広告装置。
【請求項５】
前記ガス調理機器は、さらに、引出式のグリル部を有し、
前記ＰＯＰ広告装置は、
前記グリル部の内部に備えられたグリル部用点火プラグの近傍に配置可能なグリル部用アンテナと、
前記グリル部の内部を照明するグリル部用光源と、を備え、
前記制御部は、前記グリル部用アンテナを介して前記グリル部用点火プラグにおける点火動作を検出した場合、前記グリル部用光源を駆動させて前記グリル部内部を照明し、グリル部における点火状態を模擬する演出を行う、請求項１に記載のＰＯＰ広告装置。
【請求項６】
前記グリル用光源は複数のＬＥＤから成り、
前記制御部は、各ＬＥＤの輝度を制御して明滅させ、それにより、前記グリル部内における炎の揺らぎを再現する、請求項５に記載のＰＯＰ広告装置。
【請求項７】
前記グリル用光源は、橙色又は赤色の光を放つ、請求項５に記載のＰＯＰ広告装置。
【請求項８】
前記広告動作部は、スピーカを有し、
前記制御部は、前記アンテナを介して前記点火プラグにおける点火動作を検出した場合、前記スピーカより広告用の音声媒体を再生する、請求項１に記載のＰＯＰ広告装置。
【請求項９】
前記広告動作部は、スピーカと、面発光部と、を有し、
前記面発光部の前面には、光を透過し、表面に広告情報が印刷され、かつ、交換可能な光透過性シートが備えられており、
前記制御部は、前記アンテナを介して前記点火プラグにおける点火動作を検出した場合、前記スピーカより所定の広告用の音声媒体を再生し、かつ、前記面発光部を発行させて光透過性シートの広告情報を際立たせる、請求項１に記載のＰＯＰ広告装置。
【請求項１０】
前記広告動作部は、スピーカと、ディスプレイと、を有し、
前記制御部は、前記アンテナを介して前記点火プラグにおける点火動作を検出した場合、前記スピーカより広告用の音声媒体を再生し、かつ、前記ディスプレイを作動させて所定の広告用の映像媒体を再生する、請求項１に記載のＰＯＰ広告装置。
【発明の詳細な説明】
【技術分野】
【０００１】
この発明は、ガステーブルやガスコンロ等のガス調理機器用向けのＰＯＰ（Ｐｏｉｎｔ  Ｏｆ  Ｐｕｒｃｈａｓｅ）広告装置に関する。
【背景技術】
【０００２】
コンビニエンスストアや量販店の店頭には商品の販売促進のために様々な種類のＰＯＰ用品が配置されている。近年は、より高い販売促進効果又は広告的効果を得るため、特に、電動式のＰＯＰ広告装置が注目されている（例えば、特許文献１）。
【先行技術文献】
【特許文献】
【０００３】
【特許文献１】特開２０１３−１０９０３７号公報
【発明の概要】
【発明が解決しようとする課題】
【０００４】
しかし、従前のＰＯＰ広告装置は、個々の商品に合わせて設計されたものは少なく、従って、例えば、ガステーブルやガスコンロ等のガス調理機器の販売促進に好適なＰＯＰ広告装置なども皆無というのが実情であった。
【０００５】
本発明は、上述の技術的課題を解決するためになされたもので、その目的は、ガステーブルやガスコンロ等のガス調理機器に対して販売促進効果をもたらすＰＯＰ広告装置を提供することにある。
【課題を解決するための手段】
【０００６】
上述の技術的課題は、以下の構成により解決される。
【０００７】
すなわち、本発明に係るＰＯＰ広告装置は、点火プラグにより着火を行うガス調理機器用のＰＯＰ広告装置であって、前記点火プラグの近傍に配置可能なアンテナと、前記ガス調理機器を広告するための所定の広告動作を行う広告動作部と、前記アンテナ及び前記広告動作部と接続される制御部と、を有し、前記制御部は、前記アンテナを介して前記点火プラグにおける点火動作を検出した場合、前記広告動作部を動作させるものである。
【０００８】
このような構成によれば、ガス調理機器に実際に備えられている点火プラグを利用して着火動作という消費者の能動的動作をきっかけとした関連広告の提示ができるので、消費者の注意をより広告へと向けることができる。
【０００９】
前記ＰＯＰ広告装置は、さらに、前記ガス調理機器のバーナー部の炎を模擬して略環状に配置された炎模擬部と、前記炎模擬部を照明する光源部と、前記炎模擬部と前記光源部とを担持する担持体と、を備え、前記制御部は、前記アンテナを介して前記点火プラグにおける点火動作を検出した場合、前記光源部を駆動させて前記炎模擬部を照明し、前記ガス調理機器における点火状態を模擬する演出を行うものであってもよい。
【００１０】
このような構成によれば、ガス調理機器に実際に備えられている点火プラグを利用して着火状態を模擬することができるので、消費者に実際の使用環境を想起させることができると共に、ＰＯＰ広告装置を介してガス調理機器への興味を惹きつけることができる。
【００１１】
前記光源は複数のＬＥＤから成り、前記制御部は、各ＬＥＤの輝度を制御して非同時的に明滅させ、それにより、炎の揺らぎを再現する、ものであってもよい。
【００１２】
このような構成によれば、より写実的な演出を行うことができるので、消費者の注意をより惹くことができる。
【００１３】
前記光源は、青色の光を放つ、ものであってもよい。
【００１４】
このような構成によれば、より写実的な演出を行うことができるので、消費者の注意をより惹くことができる。
【００１５】
前記ガス調理機器は、さらに、引出式のグリル部を有し、前記ＰＯＰ広告装置は、前記グリル部の内部に備えられたグリル部用点火プラグの近傍に配置可能なグリル部用アンテナと、前記グリル部の内部を照明するグリル部用光源と、を備え、前記制御部は、前記グリル部用アンテナを介して前記グリル部用点火プラグにおける点火動作を検出した場合、前記グリル部用光源を駆動させて前記グリル部内部を照明し、グリル部における点火状態を模擬する演出を行う、ものであってもよい。
【００１６】
このような構成によれば、ガス調理機器に実際に備えられている点火プラグを利用してグリル部内の着火状態を模擬することができるので、消費者に実際の使用環境を想起させることができると共に、ＰＯＰ広告装置を介してガス調理機器への興味を惹きつけることができる。
【００１７】
前記グリル用光源は複数のＬＥＤから成り、前記制御部は、各ＬＥＤの輝度を制御して明滅させ、それにより、前記グリル部内における炎の揺らぎを再現する、ものであってもよい。
【００１８】
このような構成によれば、より写実的な演出を行うことができるので、消費者の注意をより惹くことができる。
【００１９】
前記グリル用光源は、橙色又は赤色の光を放つ、ものであってもよい。
【００２０】
このような構成によれば、より写実的な演出を行うことができるので、消費者の注意をより惹くことができる。
【００２１】
前記広告動作部は、スピーカを有し、前記制御部は、前記アンテナを介して前記点火プラグにおける点火動作を検出した場合、前記スピーカより広告用の音声媒体を再生する、ものであってもよい。
【００２２】
このような構成によれば、着火動作という消費者の能動的動作をきっかけとして、関連広告に関する音声媒体を再生することができるので、消費者の聴覚を通じてより広告へと注意を向けることができる。
【００２３】
前記広告動作部は、スピーカと、面発光部と、を有し、前記面発光部の前面には、光を透過し、表面に広告情報が印刷され、かつ、交換可能な光透過性シートが備えられており、
【００２４】
前記制御部は、前記アンテナを介して前記点火プラグにおける点火動作を検出した場合、前記スピーカより所定の広告用の音声媒体を再生し、かつ、前記面発光部を発行させて光透過性シートの広告情報を際立たせる、ものであってもよい。
【００２５】
このような構成によれば、着火動作という消費者の能動的動作をきっかけとして、関連広告に関する音声媒体を再生し、また光透過性シートに印刷された広告情報を照明することができるので、消費者の視覚と聴覚の双方を通じてより広告へと注意を向けることができる。
【００２６】
前記広告動作部は、スピーカと、ディスプレイと、を有し、前記制御部は、前記アンテナを介して前記点火プラグにおける点火動作を検出した場合、前記スピーカより広告用の音声媒体を再生し、かつ、前記ディスプレイを作動させて所定の広告用の映像媒体を再生する、ものであってもよい。
【００２７】
このような構成によれば、着火動作という消費者の能動的動作をきっかけとして、関連広告に関する音声媒体及び映像媒体を再生することができるので、消費者の視覚と聴覚の双方を通じてより広告へと注意を向けることができる。
【発明の効果】
【００２８】
本発明によれば、ガス調理機器に実際に備えられている点火プラグを利用して着火動作という消費者の能動的動作をきっかけとした関連広告の提示ができるので、消費者の注意をより広告へと向けることができるＰＯＰ広告装置を提供することができる。
【００２９】
この発明のさらに他の目的並びに作用効果については、明細書の以下の記述を参照することにより、当業者によれば容易に理解されるであろう。
【図面の簡単な説明】
【００３０】
【図１】図１は、ガス調理機器の外観斜視図である。
【図２】図２は、バーナー部の平面図である。
【図３】図３は、グリル部の内部構成図である。
【図４】図４は、ＰＯＰ広告装置の外観斜視図である。
【図５】図５は、広告動作装置の展開図である。
【図６】図６は、基台の展開図である。
【図７】図７は、炎再現部品の展開図である。
【図８】図８は、ＰＯＰ広告装置の概略構成図である。
【図９】図９は、グリル部動作再現装置について示す説明図である。
【図１０】図１０は、グリル部動作再現装置の展開図である。
【図１１】図１１は、グリル部動作再現装置の概略構成図である。
【図１２】図１２は、ＰＯＰ広告装置の動作フローチャートである。
【図１３】図１３は、バーナー部用ＬＥＤの継続点灯処理の動作フローチャートである。
【図１４】図１４は、グリル部動作再現装置の動作フローチャートである。
【図１５】図１５は、グリル部用ＬＥＤの継続点灯処理の動作フローチャートである。
【図１６】図１６は、ＰＯＰ広告装置の外観斜視図（第２の実施形態）である。
【図１７】図１７は、広告動作装置の展開図（第２の実施形態）である。
【図１８】図１８は、ＰＯＰ広告装置の概略構成図（第２の実施形態）である。
【図１９】図１９は、ＰＯＰ広告装置の動作フローチャート（第２の実施形態）である。
【図２０】図２０は、面状発光部用ＬＥＤの発光処理の動作フローチャートである。
【図２１】図２１は、ＰＯＰ広告装置の外観斜視図（第３の実施形態）である。
【図２２】図２２は、ＰＯＰ広告装置の概略構成図（第３の実施形態）である。
【図２３】図２３は、ＰＯＰ広告装置の動作フローチャート（第３の実施形態）である。
【発明を実施するための形態】
【００３１】
以下に、本発明の好適な実施の一形態を、添付の図面を参照しながら詳細に説明する。
【００３２】
＜１．第１の実施形態＞
まず、添付の図１〜図１５を参照しつつ、本発明の第１の実施形態について説明する。
【００３３】
＜１．１  ガステーブルの概略構成＞
まず、図１〜図３を参照しつつ、本実施形態に係るガステーブル１の構成について説明する。
【００３４】
図１は、本実施形態に係るＰＯＰ広告装置３が配置される市販のガステーブル１の外観斜視図である。同図から明らかな通り、ガステーブル１の上面１０には、三角形の各頂点に左側バーナー部１２、奥側バーナー部１３及び右側バーナー部１４が配置されている。また、奥側バーナー部１３のさらに奥側には排気口１１が設けられている。一方、ガステーブル１の前面の中央には、引き出し式のグリル部２０が設けられ、グリル部２０には、覗き窓２１と取手２２とが備えられている。また、引き出し式のグリル部２０の左側には、グリル部の作動ボタン２３が設けられている。引き出し式のグリル部２０の右側には、左側バーナー部１２、奥側バーナー部１３及び右側バーナー部１４にそれぞれ対応して３つの作動ボタン２４ａ〜２４ｃが設けられている。
【００３５】
図２は、ガステーブル１の上面１０に設けられたバーナー部１２の平面図である。図２（ａ）は、バーナー部１２の中央に保護カバー１２３を載置した状態を表し、図２（ｂ）は、バーナー部１２の中央の保護カバー１２３を取り外した状態を表している。図２（ａ）から明らかな通り、バーナー部１２の周囲には、６つの金属片１２１ａ〜１２１ｆから成る五徳１２１が配置され、その中央には、被加熱体の温度を検知する温度センサ柱１２２、及び温度センサ柱１２２に挿通する孔部を備えバーナー部用点火プラグ１２４を上方から被覆する保護カバー１２３が備えられている。図２（ｂ）に示されるように、保護カバー１２３が取り外されると、バーナー部用点火プラグ１２４が露出する。このバーナー部用点火プラグ１２４からは点火動作時に点火スパークが放出され、当該点火スパークと可燃ガスとが接することにより加熱用の炎が発生することとなる。
【００３６】
図３は、ガステーブル１の内部に設けられたグリル部２０の内部構成図である。図３（ａ）は、引き出し式のグリル部の外観図を示し、図３（ｂ）は、グリル部２０の内部構成について示している。図３（ａ）に示されたグリル部の取手２２を掴んで図示しないグリル網を引き出すと、図３（ｂ）に示される内部空間が看取される。内部空間の上面には、コの字型を有し遠赤外線等を発する加熱部２５及び金属製の天板２６が設けられている。また、内部空間の最奥部にはグリル部用点火プラグ２７が配置されており、この点火プラグ２７は上述の点火プラグ１２４と同様に点火スパークを放出する。なお、一般にガステーブルにおいては、バーナー部１２〜１４の点火処理を行ってもグリル部２０の点火処理を行っても、すべての点火プラグ２７、１２４において同時に点火動作がなされる構成となっていることが多く、本実施形態のガステーブル１もそのうちの１つである。
【００３７】
＜１．２  ＰＯＰ広告装置の構成＞
次に、ＰＯＰ広告装置３の構成について説明する。図４は、ＰＯＰ広告装置３の外観斜視図である。同図から明らかな通り、ＰＯＰ広告装置３は、広告動作装置３１とバーナー部動作再現装置３５とから成り、それらの間は配線により接続されている。後述するように、本実施形態において、広告動作装置３１からは所定の音声による広告が再生され、バーナー部再現装置３５においてはバーナー部１２における着火状態を再現した演出がなされる。また、後述するように、ＰＯＰ広告装置３は、ガステーブル１のグリル部２０内に独立に配置されたグリル部動作再現装置も含んでいる。
【００３８】
＜１．２．１  広告動作装置の構成＞
図５（ａ）は、組み立てることにより断面台形状の広告動作装置３１の筐体を形成する紙製の外面シート３１１の展開図であり、図５（ｂ）は、前記筐体の内部に配置されて回路やスピーカ、電池ボックス等の種々の部品を保持する紙製の部品保持シート３１２の展開図である。なお、同図において、折り目は破線にて示されている。図５（ａ）から明らかな通り、外面シート３１１は、折り込まれることにより背面となる背面シート３１１１、上面となる上面シート３１１２、前面となる前面シート３１１３、底面となる底面シート３１１４、左側面となる左側面シート３１１５、及び右側面となる右側面シート３１１６とから構成されている。前面シート３１１３の中央左寄りには内部に配置される図示しないスピーカ３２２からの音を放出する放音孔３１１３ａが設けられ、右側面シート３１１６の付け根付近には、図示しない電源スイッチを突出させる電源スイッチ孔３１１６ａと、図示しない音量調節用スイッチを突出させる音量調節用スイッチ孔３１１６ｂとが配置されている。また、左側面シート３１１５の一辺には配線を挿通させる配線挿通孔３１１５ａが設けられている。さらに、背面シート３１１１には、図示しない電池ボックスの電池を交換するための電池ボックス用開口３１１１ａが設けられ、当該電池ボックス用開口３１１１ａは、右側面シート３１１６上に設けられた係合片３１１６ｄを背面シート３１１１の係合孔３１１１ｂへと係合させることにより、右側面シート３１１６の延長部により被覆される。なお、各シートは、互いに接着片３１１１ｃ、３１１２ａ、３１１２ｂ、３１１４ａ、３１１４ｂ、３１１５ｂ、３１１６ｃを接着することにより固定される。
【００３９】
一方、図５（ｂ）から明らかな通り、部品保持シート３１２は、折り込まれることにより前面シート３１１３と面接触する前面シート３１２３、底面シート３１１４と面接触する底面シート３１２４、背面シート３１１１と面接触する背面シート３１２１、上面シート３１１２と面接触する上面シート３１２５とから構成されている。なお、上面シート３１２５は、接合片３１２２と接着される。背面シート３１２１の表面には図示しない電池ボックスが固定され、電池ボックスからの配線は２つの配線挿通孔３１２１ａ、３１２１ｂを介して背面シート３１２１の裏面に固定された図示しない基板へと接続される。また、前面シート３１２３に設けられたスピーカ用孔３１２３ａには、背面側から当該スピーカ用孔３１２３ａと同程度の直径を有するスピーカ３２２が固定され、スピーカ３２２からの配線は基板へと接続されている。なお、基板には後述のＬＥＤ３５６ａ〜３５６ｆの駆動回路やアンテナ線３５５におけるスパークの検出回路などが設けられており、それらの配線は、配線挿通孔３１１５ａを介して外部へと通じている。
【００４０】
＜１．２．２  バーナー部動作再現装置の構成＞
次に、図６〜図７を参照しつつ、バーナー部動作再現装置３５の構成について説明する。なお、バーナー部動作再現装置３５は、基台と炎再現部品３５４とから成り、基台は、組み立てることにより円柱状となる外面シート３５１と、当該外面シート３５１の内部に固定配置され複数のＬＥＤ３５６ａ〜３５６ｆを保持するＬＥＤ保持部材３５２と、基台の美観の観点から底面に設けられる底面用化粧紙３５３とから構成されている。
【００４１】
図６（ａ）は、外面シート３５１の展開図である。同図から明らかな通り、外面シート３５１は、組立てた際に側面に配置される帯状シート３５１１と、組立てた際に天面となる円形の天面シート３５１２とから構成され、それらは互いに接着片３５１１ｂ、３５１４ａ〜３５１４ｅを介して接着固定される。なお、天面シート３５１２の中心には温度センサ柱１２２を挿通させる温度センサ柱挿通孔３５１５が設けられ、バーナー部１２〜１４の中央に配置される温度センサ柱１２２と干渉しないように構成されている。また、センサ柱挿通孔３５１５の周囲には後述の炎再現部品３５４を固定するための炎再現部品固定孔３５１３ａ〜３５１３ｅが６カ所に配置されている。さらに、帯状シート３５１１の側面にはＬＥＤ３５６ａ〜３５６ｆ等への配線を挿通させる挿通孔３５１１ａが設けられている。
【００４２】
図６（ｂ）は、外面シート３５１の内部に配置されるＬＥＤ保持部材３５２の展開図である。中央に配置される略六角形形状のＬＥＤ保持シート３５２１は、６つのＬＥＤ孔３５２３ａ〜３５２３ｆを有し、各ＬＥＤ孔３５２３ａ〜３５２３ｆの裏面には図示しないＬＥＤ３５６ａ〜３５６ｆが配置されている。また、ＬＥＤ保持シート３５２１の中心には、温度センサ柱挿通孔３５２２が設けられ、バーナー部１２〜１４の中央に配置される温度センサ柱１２２と干渉しないように構成されている。略六角形形状のＬＥＤ保持シート３５２１の各辺には長方形形状の側面シート３５２４ａ〜３５２４ｅが連結され、各側面シート３５２４ａ〜３５２４ｅは隣り合う側面シートと接着固定される。なお、接着片３５２４ｆ及び３５２４ｇは、帯状シート３５１１の内面に接着固定される。
【００４３】
なお、このとき、各ＬＥＤ３５６ａ〜３５６ｆは、青色の光を放つ。これは、バーナー部１２〜１４の炎はその温度により通常青色に観測されるためである。このような構成によれば、より写実的な演出を行うことができるので、消費者の注意をより惹くことができる。
【００４４】
図６（ｃ）は、ＬＥＤ保持部材３５２の底面側からＬＥＤ３５６ａ〜３５６ｆの配線等が外部から見えないように被覆する底面用化粧紙３５３である。底面用化粧紙３５３は、略六角形形状を有しており、その形状からＬＥＤ保持部材３５２へとはめ込むことができる。また、中心には、温度センサ柱１２２を挿通させる温度センサ柱挿通孔３５３２が設けられており、バーナー部１２〜１４の中央に配置される温度センサ柱１２２と干渉しないように構成されている。
【００４５】
なお、ＬＥＤ保持部材３５２と底面用化粧紙３５３との間には、図示しないアンテナ線３５５が温度センサ柱挿通孔３５３２の内周に沿って配置されている。そのため、バーナー部１２〜１４に設けられたバーナー部用点火プラグ１２４から放出されるスパークノイズを検出することができる。
【００４６】
図７は、炎再現部品３５４の展開図である。炎再現部品３５４は、薄く透明な樹脂材料から成り、炎の形状を有する炎形状部３５４２が帯部３５４１を介して連結されている。帯部３５４１を環状に変形させ、挿入片３５４３を炎再現部品固定片３５１３ａ〜３５１３ｅへと挿入することで、炎再現部品３５４を基台上に固定することができる。なお、このように固定されているので、内部に配置されたＬＥＤ３５６ａ〜３５６ｆが発光することで透明な炎再現部品３５４が下方から照明されることとなる。
【００４７】
＜１．２．３  広告動作装置とバーナー部動作再現装置の電気的構成＞
図８は、ＰＯＰ広告装置３の電気的構成について示す概略構成図である。上述の通り、広告動作装置３１の内部には基板が設けられ、当該基板上には、アンテナ線３５５からの信号を受信する信号受信部３１５、後述の音声媒体などを記憶する記憶部３１６、電池ボックス等と接続された電源部３１７、前記複数のＬＥＤ３５６ａ〜３５６ｆと接続されたＬＥＤ駆動部３１８、ＰＯＰ広告装置３の全体の動作を制御する制御部３１９、スピーカからの音声の音量を調整する音量調整スイッチと接続された音量調整部３２０、スピーカ３２２と接続されたスピーカ駆動部３２１などが配置されている。一方、バーナー部動作再現装置３５の内部には、広告動作装置３１の各部と電気的に接続されたＬＥＤ３５６ａ〜３５６ｆ及びアンテナ線３５５が配置されている。
【００４８】
＜１．２．４  グリル部動作再現装置の構成＞
また、本実施形態に係るＰＯＰ広告装置３においては、ガステーブル１のグリル部２０内にグリル部２０における点火状態を再現するグリル部動作再現装置５がさらに配置される。図９〜図１１を参照しつつ、グリル部動作再現装置５の構成について説明する。
【００４９】
図９は、グリル部動作再現装置５の説明図である。図９（ａ）は、グリル部動作再現装置５の外観斜視図であり、図９（ａ）から明らかな通り、グリル部動作再現装置５は、直方体形状に組立可能な紙製の外面シート５２１により筐体が構成されている。当該直方体の一面にはその内部に配置した１２個のグリル部用ＬＥＤ５８ａ〜５８ｌからの光を放出する１２個のＬＥＤ孔５２１ａ〜５２１ｌが長辺に沿って規則的に配置されている。また、側面からは、グリル部２０内の点火プラグ２７の近傍へと配置されるアンテナ線５５が外部へと引き出されている。
【００５０】
なお、このとき、グリル部用ＬＥＤは橙色乃至は赤色の光を放つものである。これは、グリル部２０は動作時に遠赤外線を利用して加熱を行うため、当該加熱時にはグリル部２０内が橙色乃至は赤色に観測されるためである。このような構成によれば、より写実的な演出を行うことができるので、消費者の注意をより惹くことができる。
【００５１】
図９（ｂ）は、グリル部動作装置５の動作例について示している。グリル部動作装置５の内部には図示しない磁石が固定配置されており、グリル部動作装置５は当該磁石を利用してＬＥＤ孔５２１ａ〜５２１ｌを下面として、グリル部２０内の金属製の天板２６へと固定されて使用される。すなわち、グリル部動作装置５は、グリル部２０内を上方から橙色又は赤色に照明することとなる。なお、この上方からの照明を行う際、例えば、焼き魚の外観などが印刷され魚の形状を有したグリル部用ＰＯＰ５１をグリル部２０内に配置すれば消費者に対してよりリアルに使用環境を想起させることができる。
【００５２】
図１０は、グリル部動作再現装置５の外面シート５２１と、当該外面シート５２１の内部においてグリル部用ＬＥＤ５８ａ〜５８ｌなどを保持する部品保持シートの展開図である。
【００５３】
図１０（ａ）は、外面シート５２１の展開図である。同図から明らかな通り、外面シート５２１は、組立てた際に天板２０へと磁石を介して張り付けられ天面となる天面シート５２２、底面となりＬＥＤ孔５２１ａ〜５２１ｌを備える底面シート５２１、アンテナ線の挿通孔５２３ａを備える左側面シート５２３、右側面となる右側面シート５２５、背面となる背面シート５２４、前面となる前面シート５２６とから構成され、各接着片５２４ａ、５２４ｂ、５２６ａ、５２６ｂ、５２３ｂ、５２５ｂ、５２１ｍを対応する面に接着することにより組み立てられる。なお、同図において折り目は破線にて示されている。天面シート５２２の四隅には、図示しない磁石の配置箇所と一致して固定孔５２２ａ〜５２２ｄが配置され、中央やや右側には電池交換用の電池ボックス用開口５２２ｅが配置されている。なお、電池ボックスに取り付けられた電源スイッチは右側面シート５２５に設けられた電源スイッチ突出孔５２５ａから突出する。
【００５４】
図１０（ｂ）は、組立てた外面シート５２１の内側に配置され、ＬＥＤ５８ａ〜５８ｌ等の種々の部品を保持する部品保持シート５４の展開図である。同図から明らかな通り、部品保持シート５４は、組立てた際に天面となる天面シート５４２、底面となり内部ＬＥＤ孔５４１ａ〜５４１ｌを備える底面シート５４１、左側面となりアンテナ線の挿通孔５４３ａを備える左側面シート５４３、右側面となり電池ボックスの電源スイッチ用の開口を中心に有する右側面シート５４５、背面となる背面シート５４６、前面となる前面シート５４４とから構成され、各接着片５４２ｅ、５４３ｂ、５４５ａを対応する面に接着することにより組み立てられる。なお、同図において折り目は破線にて示されている。天面シート５４２の四隅には、図示しない磁石の配置箇所と一致して固定孔５４２ａ〜５４２ｄが設けられ、また、電池ボックス孔５２２ｅの位置と対応して電池ボックスカバー片５４２ｆが設けられている。組立てた部品保持シート５４の内部空間には、図示しない基板が固定配置され、当該基板には、後述するように、グリル部用ＬＥＤ５８ａ〜５８ｌ、アンテナ線５５などが接続されている。
【００５５】
図１１は、グリル部動作再現装置５の電気的構成に関する概略構成図である。グリル部動作再現装置５の内部の基板上には、アンテナ線５５と接続された信号受信部５６、所定のプログラム等が格納された記憶部５７、グリル部用ＬＥＤ５８ａ〜５８ｌと接続されそれらを駆動するＬＥＤ駆動部５９、グリル部動作再現装置５の全体を制御する制御部６０、及び電池ボックスと接続された電源部６１とが配置されている。なお、アンテナ線５５とグリル部用ＬＥＤ５８ａ〜５８ｌは延長線により基板から延長され、部品保持シート５４の所定の位置に配置可能に構成されている。
【００５６】
＜１．３  ＰＯＰ広告装置の動作＞
次に、広告動作装置３１、バーナー部動作再現装置３５、及び、グリル部動作再現装置５とを含むＰＯＰ広告装置３の動作について説明する。
【００５７】
＜１．３．１  広告動作装置とバーナー部動作再現装置の動作＞
まず、広告動作装置３１とバーナー部動作再現装置３５の動作について説明する。
【００５８】
図１２は、ＰＯＰ広告装置３の動作について示すフローチャートである。処理が開始すると、アンテナ線３５５からの入力を検出して所定のノイズを検出する（Ｓ１０ＮＯ）。この所定のノイズは、バーナー部１２に備えられた点火プラグ１２４が動作して発生したスパークをアンテナ線を介して検出することにより得られるノイズである。アンテナ線３５５を通じて、点火プラグ１２４において発生したスパークに基づく所定のノイズが検出されると（Ｓ１０ＹＥＳ）、バーナー部動作再現装置３５と広告動作装置３１においてそれぞれ動作が開始する。
【００５９】
バーナー部動作再現装置３５において処理が開始すると、点火プラグ１２４におけるスパークの放出に合わせて、６つのＬＥＤ３５６ａ〜３５６ｆの全てが同時に複数回（例えば４回）、数秒に亘り明滅する。この動作により、スパークを検出してバーナー部動作再現装置３５において動作が開始したことを消費者に明確に示すことができる。その後、ＬＥＤ３５６ａ〜３５６ｆは、点灯状態を維持して所定時間（例えば、１〜数秒間）待機する（Ｓ１２）。
【００６０】
その後、ＬＥＤ３５６ａ〜３５６ｆにおいて後述する継続点灯処理を開始すると共に（Ｓ１３）、当該処理を終えて消灯する処理（Ｓ１５）までの間、所定時間、待機する処理を行う（Ｓ１４）。この消灯処理の後、処理は終了する。なお、ＬＥＤ３５６ａ〜３５６ｆが消灯されるタイミングと広告動作装置３１の処理の終了のタイミングとはおよそ同時である。
【００６１】
図１３は、継続点灯処理（Ｓ１３）の詳細について示すフローチャートである。継続点灯処理が開始すると、まず、全ＬＥＤ３５６ａ〜３５６ｆを点灯する処理が行われ（Ｓ１３１）。所定時間点灯を継続する（Ｓ１３２）。所定時間経過後、ＬＥＤ３５６ａ〜３５６ｆから選択された第ｎ番目のＬＥＤを点滅させる処理を行う（Ｓ１３３）。当該ＬＥＤの点滅処理を所定時間行った後、再び常時点灯処理へと戻る（Ｓ１３５）。その後、ＬＥＤ３５６の一周期分（第Ｎ番目まで）点滅処理を行ったか否かを判定し（Ｓ１３６）、未だ一周期分の点滅処理を行っていないと判定した場合には（Ｓ１３６ＮＯ）、次の（第ｎ＋１番目）ＬＥＤを点滅する処理を行う（Ｓ１３７）。一方、一連のＬＥＤの点滅処理（Ｓ１３３〜Ｓ１３５）を行った後、一周期分の点滅処理を行ったと判定された場合（Ｓ１３６ＹＥＳ）、再度点滅処理が初めから繰り返されることなる（Ｓ１３８）。なお、ここで、一周期分の点滅処理とは必ずしも６つのＬＥＤ３５６ａ〜３５６ｆを順に点滅させることではなく、例えば、隣り合うＬＥＤを順に第１から第６番目としたとき、第１番目のＬＥＤ３５６ａ→第３番目のＬＥＤ３５６ｃ→第２番目のＬＥＤ３５６ｂ→第４番目のＬＥＤ３５６ｄ→第３番目のＬＥＤ３５６ｃ→第５番目のＬＥＤ３５６ｅ→第４番目のＬＥＤ３５６ｄ→第６番目のＬＥＤ３５６ｆのように順に点滅させて一周期としてもよい。或いは、対角線上に配置されるＬＥＤを順に点滅させて一周期としてもよい。
【００６２】
このような構成によれば、一部のＬＥＤの点滅により炎の揺らぎを再現することができ、写実的な演出を行うことができるので、より消費者の注意をより惹くことができる。
【００６３】
一方、図１２に戻り、広告動作装置３１が処理を開始すると、記憶部３１６からガステーブル１に関する広告用音声媒体が読み出される（Ｓ２０）。広告用音声媒体は、例えば、十数秒間で構成されるガステーブル１のＣＭ音声などである。読みだされた広告用音声媒体は所定の再生処理がなされ（Ｓ２１）、スピーカ３２２を通じて再生される。
【００６４】
＜１．３．２  グリル部動作再現装置の動作＞
次に、図１４を参照しつつ、グリル部動作再現装置５の動作について説明する。図１４は、グリル部用ＰＯＰ広告装置５の動作フローチャートである。処理が開始すると、アンテナ線５５からの入力を検出して所定のノイズを検出する（Ｓ３０ＮＯ）。この所定のノイズは、グリル部２０内に備えられた点火プラグ２７が動作して発生したスパークをアンテナ線５５を介して検出することにより得られるノイズである。アンテナ線５５を通じて、点火プラグ２７において発生したスパークに基づく所定のノイズが検出されると（Ｓ３０ＹＥＳ）、グリル部動作再現装置５の動作が開始する。動作が開始すると、点火プラグ２７の点火動作期間、すべてのＬＥＤ５８ａ〜５８ｌが同時に所定時間（Ｓ３２）、点滅する（Ｓ３１、Ｓ３２）。この点滅動作により、スパークを検出してグリル部動作再現装置２０において動作が開始したことを消費者に明確に示すことができる。この点滅動作が終了すると、後述するＬＥＤ５８ａ〜５８ｌの継続点灯処理が、所定時間継続する（Ｓ３３）。この所定時間が経過すると（Ｓ３４）、ＬＥＤ５８ａ〜５８ｌの消灯処理がなされ（Ｓ３５）、処理が終了する。
【００６５】
図１５は、ＬＥＤ５８ａ〜５８ｌの継続点灯処理（Ｓ３３）の詳細について示すフローチャートである。処理が開始すると、ＬＥＤ５８ａ〜５８ｌが一旦すべて点灯する（Ｓ３３１）。所定時間、この点灯処理がなされた後（Ｓ３３２）、ＬＥＤ５８ａ〜５８ｌの明滅処理が開始する。すなわち、まず、全ＬＥＤ５８ａ〜５８ｌが数回程度、複数回に亘り点滅する（Ｓ３３３）。当該点滅処理の後、所定時間（数秒程度）、単に全ＬＥＤ５８ａ〜５８ｌが点灯する状態が継続し（Ｓ３３４）、その後、再び、全ＬＥＤ５８ａ〜５８ｌが複数回にわたり点滅する処理が繰り返される（Ｓ３３３）。すなわち、ＬＥＤ５８ａ〜５８ｌが所定のインターバル期間をおいて、繰り返し点滅することとなる。
【００６６】
このような構成によれば、ＬＥＤの点滅によりグリル部２０内における炎の揺らぎを再現することができ、写実的な演出を行うことができるので、より消費者の注意をより惹くことができる。
【００６７】
＜２．第２の実施形態＞
次に、図１６〜図２０を参照しつつ、第２の実施形態に係るＰＯＰ広告装置７について説明する。第２の実施形態は、第１の実施形態とは、特に広告動作装置７１の構成において相違する。
【００６８】
＜２．１  ＰＯＰ広告装置の構成＞
本実施形態に係るＰＯＰ広告装置７は、広告動作装置７１とバーナー部動作再現装置７５とから構成される。なお、バーナー部動作再現装置７５の構成は第１の実施形態に係るバーナー部動作再現装置３５と略同一であるから、ここでは説明を省略する。
【００６９】
図１７及び図１８を参照しつつ、ＰＯＰ広告装置７及び広告動作装置７１の構成について説明する。広告動作装置７１は、断面台形状の立体形状に組立可能な外面シート７１１と、当該外面シート７１１の内部に配置されて、基板やＬＥＤ７２４ａ〜７２４ｅ等の部品を保持する部品保持シート７１２とから構成されている。
【００７０】
図１７（ａ）は、外面シート７１１の展開図である。同図から明らかな通り、外面シート７１１は、組立時に前面となる前面シート７１１３、天面となる天面シート７１１２、背面となる背面シート７１１１、底面となる底面シート７１１４、左側面となる左側面シート７１１５、右側面となる右側面シート７１１６とから構成されており、それらは互いに、接着片７１１１ｃ、７１１２ａ、７１１２ｂ、７１１５ｃ、７１１６ａ、７１１４ａ、７１１４ｂを介して固定される。本実施形態においても、第１の実施形態と同様に、背面シート７１１１に電池ボックス用開口７１１１ａが設けられ、当該電池ボックス用開口７１１１ａは左側面シート７１１５により、係合片７１１５ｄと係合孔７１１１ｂとを係合させることにより閉じられる。また、左側面シート７１１５に配線挿通孔７１１５ａが、右側面シートに音量調節スイッチ孔７１１６ｂが、前面シート７１１３にスピーカ７２２用の放音孔７１１３ａが設けられる点は同様である。
【００７１】
第１の実施形態と本実施形態においては、前面シート７１１３に略長方形形状の発光体用開口７１１３ｂが設けられている点において大きく相違する。後述の面状発光体の光は、発光体用開口７１１３ｂを通じて外部へと放出される。発光体用開口７１１３ｂの上下には、光透過性を有し、表面に広告が印刷された図示しない広告用シートを湾曲して保持するための保持片７１１３ｃ、７１１３ｄが配置されている。そのため、光透過性を有する広告用シートを背面から照明して広告内容を際立たせることができる。
【００７２】
図１７（ｂ）は、断面台形状の立体へと組立可能であって、図示しない基板やＬＥＤ７２４ａ〜７２４ｅ等を保持する部品保持シート７１２の展開図である。同図から明らかな通り、部品保持シート７１２は、組立時に前面となる前面シート７１２３ｂ、天面となる天面シート７１２２、底面となる底面シート７１２４、背面となる背面シート７１２１とから構成され、接着片７１２５を天面シート７１２２と固定することにより形状が固定される。前面シート７１２３には、その背面に設けられたスピーカ７２２と面状発光体のための放音孔７１２３ａと面状発光体用開口７１２３ｂとがそれぞれ設けられている。なお、面状発光体は、面状発光部用ＬＥＤ７２４ａ〜７２４ｅと、面状発光部用ＬＥＤ７２４ａ〜７２４ｅからの光を拡散する面状の拡散板とから構成されている。また、背面シート７１２１には、その背面に設けられる電池ボックスの電池を交換するための電池ボックス用開口７１２１ｃが設けられている。
【００７３】
図１８は、ＰＯＰ広告装置７の電気的構成に関する概略構成図である。広告制御装置７１の内部の基板上には、アンテナ線７５５と接続された信号受信部７１５、広告用音声媒体等を記憶する記憶部７１６、電池ボックスと接続された電源部７１７、バーナー部動作再現装置７５のＬＥＤ７５６ａ〜７５６ｆを駆動するＬＥＤ駆動部７１８、広告制御装置７１等の全体制御を行う制御部７１８、スピーカから放出される音声の音量を調節する音量調節部７２０、スピーカ７２２を駆動するためのスピーカ駆動部７２１、及び、面状発光部用ＬＥＤ７２４ａ〜７２４ｅを駆動するための面状発光部用ＬＥＤ駆動部７２３とが配置され、互いに電気的に接続されている。
【００７４】
＜２．２  ＰＯＰ広告装置の動作＞
次に、図１９及び図２０を参照しつつ、ＰＯＰ広告装置７の動作について説明する。
【００７５】
図１９は、ＰＯＰ広告装置の動作について示す動作フローチャートである。処理が開始すると、アンテナ線７５５からの入力を検出して所定のノイズを検出する（Ｓ５０ＮＯ）。この所定のノイズは、バーナー部１２に備えられた点火プラグ１２４が動作して発生したスパークをアンテナ線７５５を介して検出することにより得られるノイズである。アンテナ線７５５を通じて、点火プラグ１２４において発生したスパークに基づく所定のノイズが検出されると（Ｓ５０ＹＥＳ）、バーナー部動作再現装置７５と広告動作装置７１においてそれぞれ動作が開始する。ここで、バーナー部動作再現装置７５の動作（Ｓ５１〜Ｓ５５）は、第１の実施形態に係るバーナー部動作再現装置３５の動作（Ｓ１１〜Ｓ１５）と略同一であるので、ここでは説明を省略する。また、広告動作装置７１においても、広告用音声の再生処理（Ｓ６１〜Ｓ６２）については、第１の実施形態に係る広告動作装置７１における広告用音声の再生処理（Ｓ２０〜Ｓ２１）と略同一であるので、ここでは説明を省略する。
【００７６】
図１９から明らかな通り、広告動作装置７１において処理が開始すると、面状発光部用ＬＥＤ７２４ａ〜７２４ｅの発光処理が開始する（Ｓ７１）。当該発光処理が所定時間継続した後（Ｓ７２）、面状発光部用ＬＥＤ７２４ａ〜７２４ｅの消灯処理がなされ（Ｓ７３）、処理は終了する。
【００７７】
図２０は、面状発光部用ＬＥＤ７２４ａ〜７２４ｅの発光処理（Ｓ７１）の詳細について示す動作フローチャートである。同図において、処理が開始すると、まず、全てのＬＥＤ７２４ａ〜７２４ｅが、所定時間（例えば数秒間）、点灯し続ける（Ｓ７１１、Ｓ７１２）。その後、ＬＥＤ７２４ａ〜７２４ｅは、複数回（例えば３回）点滅する処理を行った後、再び点灯状態を保持して所定時間待機する（Ｓ７１４）。この点滅動作（Ｓ７１３）と待機動作（Ｓ７１４）とが、所定時間（Ｓ７２）、繰り返されることとなる。
【００７８】
このような構成によれば、着火動作という消費者の能動的動作をきっかけとして、関連広告に関する音声媒体を再生し、また光透過性シートに印刷された広告情報を照明することができるので、消費者の視覚と聴覚の双方を通じてより広告へと注意を向けることができる。
【００７９】
＜３．第３の実施形態＞
次に、図２１〜図２３を参照しつつ、第３の実施形態に係るＰＯＰ広告装置８について説明する。第３の実施形態は、第１の実施形態とは、特に広告動作装置８１の構成において相違する。
【００８０】
＜３．１  ＰＯＰ広告装置の構成＞
図２１は、ＰＯＰ広告装置８の外観斜視図である。同図から明らかな通り、本実施形態に係るＰＯＰ広告装置８は、広告動作装置８１とバーナー部動作再現装置８５とから構成される。本実施形態に係る広告動作装置８１として特徴的なのは、広告動作装置の前面側にディスプレイ８２４が配置されていることである。
【００８１】
なお、バーナー部動作再現装置８５の構成は第１の実施形態に係るバーナー部動作再現装置３５と同一であるから、ここでは説明を省略する。また、広告動作装置８１は、断面台形状の立体形状に組立可能な外面シートと、当該外面シートの内部に配置されて、基板やＬＥＤ８５６ａ〜８５６ｆ等の部品を保持する部品保持シートとから構成されているものの、その構成は第２の実施形態に係る広告動作装置７１と略同一であるので、ここでは説明を省略する。
【００８２】
図２２は、ＰＯＰ広告装置８の電気的構成に関する概略構成図である。広告制御装置８１の内部の基板上には、アンテナ線８５５と接続された信号受信部８１５、音声広告媒体等を記憶する記憶部８１６、電池ボックスと接続された電源部８１７、バーナー部動作再現装置８５のＬＥＤ８５６ａ〜８５６ｆを駆動するＬＥＤ駆動部８１８、広告制御装置８１等の全体制御を行う制御部８１９、スピーカ８２２から放出される音声の音量を調節する音量調節部８２０、スピーカ８２２を駆動するためのスピーカ駆動部８２１、及び、ディスプレイ８２４を駆動するためのディスプレイ駆動部８２３とが配置され、互いに電気的に接続されている。
【００８３】
＜３．２  ＰＯＰ広告装置の動作＞
図２３は、ＰＯＰ広告装置８の動作について示したフローチャートである。同図において、処理が開始すると、アンテナ線８５５からの入力を検出して所定のノイズを検出する（Ｓ８０ＮＯ）。この所定のノイズは、バーナー部１２に備えられた点火プラグ１２４が動作して発生したスパークをアンテナ線８５５を介して検出することにより得られるノイズである。アンテナ線８５５を通じて、点火プラグ１２４において発生したスパークに基づく所定のノイズが検出されると（Ｓ８０ＹＥＳ）、バーナー部動作再現装置８５と広告動作装置８１においてそれぞれ動作が開始する。ここで、バーナー部動作再現装置８５の動作（Ｓ８１〜Ｓ８５）は、第１の実施形態に係るバーナー部動作再現装置３５の動作（Ｓ１１〜Ｓ１５）と略同一であるので、ここでは説明を省略する。
【００８４】
図２３から明らかな通り、広告動作装置８１において処理が開始すると、記憶部８１６から広告用音声の読出処理（Ｓ９１）と広告用動画像の読出処理（Ｓ１０１）とが並列的に行われる。その後、所定時間互いに待機処理を行った後（Ｓ９２、Ｓ１０２）、広告用音声と広告用動画像とが同時的に再生される（Ｓ９３、Ｓ１０３）。
【００８５】
このような構成によれば、着火動作という消費者の能動的動作をきっかけとして、関連広告に関する音声媒体及び映像媒体を再生することができるので、消費者の視覚と聴覚の双方を通じてより広告へと注意を向けることができる。
【００８６】
＜４．その他＞
上述の実施形態においては、ガステーブル用のＰＯＰ広告装置を例として説明した。しかしながら、本発明はこのような構成に限定されない。従って、例えば、同様のスパークノイズを発生させる部品を有する商品についても適用可能であり、例えば、ライター等の広告にも応用することができる。
【００８７】
また、上述の実施形態においては、ＰＯＰ広告装置は、広告動作装置と、バーナー部動作再現装置と、グリル部動作再現装置とから構成されるものとして説明したが、本発明はこのような構成に限定されない。従って、例えば、そのうちのいくつかの装置又は全部を一体として構成してもよいし、各機能を異なる形態で分散させてもよい。
【産業上の利用可能性】
【００８８】
本発明によれば、ガス調理機器用のＰＯＰ広告装置を提供することができ、当該装置は、例えば、ＰＯＰ広告の分野において利用可能である。
【符号の説明】
【００８９】
１  ガステーブル  
１２  左側バーナー部
１２４  点火プラグ
１３  奥側バーナー部
１４  右側バーナー部
２０  グリル部
３  ＰＯＰ広告装置（第１の実施形態）
３１  広告動作装置
３５  バーナー部動作制御装置
５  グリル部動作再現装置
７  ＰＯＰ広告装置（第２の実施形態）
７１  広告動作装置（第２の実施形態）
７５  バーナー部動作制御装置（第２の実施形態）
８  ＰＯＰ広告装置（第３の実施形態）
８１  広告動作装置（第３の実施形態）
８５  バーナー部動作制御装置（第３の実施形態）
【図１】
2018205417.tif 000003
【図２】
2018205417.tif 000004
【図３】
2018205417.tif 000005
【図４】
2018205417.tif 000006
【図５】
2018205417.tif 000007
【図６】
2018205417.tif 000008
【図７】
2018205417.tif 000009
【図８】
2018205417.tif 000010
【図９】
2018205417.tif 000011
【図１０】
2018205417.tif 000012
【図１１】
2018205417.tif 000013
【図１２】
2018205417.tif 000014
【図１３】
2018205417.tif 000015
【図１４】
2018205417.tif 000016
【図１５】
2018205417.tif 000017
【図１６】
2018205417.tif 000018
【図１７】
2018205417.tif 000019
【図１８】
2018205417.tif 000020
【図１９】
2018205417.tif 000021
【図２０】
2018205417.tif 000022
【図２１】
2018205417.tif 000023
【図２２】
2018205417.tif 000024
【図２３】
2018205417.tif 000025